(57)【要約】【課題】職場において、椅子に座り事務机に向かいながら、靴を履き替えることができるとともに、履き替えた靴を邪魔にならず美観も損なわずに保管することのできる装置を提供すること。【解決手段】靴一足分を立て掛けるための機構を有する本体部分と、事務机の内側側面に吸着させるためのマグネットにより構成されたことを特徴とする靴立て掛けハンガー装置であって、靴のソールとアッパーとの間の溝の部分を引っ掛けることにより、靴底を事務机の内側側面に向けた状態で立て掛けることを可能にした。【選択図】  図１
0003154765.tif 000002
【実用新案登録請求の範囲】
【請求項１】
靴一足分を立て掛けるための機構を有する本体部分と、事務机の内側側面に吸着させるためのマグネットにより構成されたことを特徴とする靴立て掛けハンガー装置
【請求項２】
靴を立て掛ける本体部分については、靴のソールとアッパーとの間の溝の部分を引っ掛けることにより、靴底を事務机の内側側面に向けた状態で立て掛けることを可能にしたことを特徴とする請求項１に記載の靴立て掛けハンガー装置
【請求項３】
マグネットの位置を、床面と平行に取り付けることにより、吸着する事務机の側面から下方にずり落ちることを防止するとともに、前後への移動については容易にしたことを特徴とする請求項１又は請求項２に記載の靴立て掛けハンガー装置
【請求項４】
立て掛けた靴は床面に対して３０度から４５度傾斜させて使用するため、靴のかかと部分から土踏まず部分の片側を支える機構を有することを特徴とする請求項１に記載の靴立て掛けハンガー装置
【請求項５】
靴を立て掛ける本体部分に付属して、ひも或いはワイヤの片方を本体部分に繋げ、他方の端にマグネットのフックを付けることにより、靴ベラを掛けることができる機能を有するとともに、ひも或いはワイヤを引っ張るなどすることにより吸着位置を容易に移動させることができる機能を有するものとしたことを特徴とする請求項１に記載の靴立て掛けハンガー装置
【考案の詳細な説明】
【技術分野】
【０００１】
本考案は、事務机内側側面に靴を立て掛けるための装置に関する。
【背景技術】
【０００２】
特許文献１の履物収納具として事務机内側側面に立て掛ける装置が提供されているが、革靴などには不適切な装置である。また、特許文献２の回転式移動可能な履物ラックとして靴の収納装置が提供されているが、家庭の玄関などで使用される装置である。
【先行技術文献】
【特許文献】
【０００３】
【特許文献１】特開２００６−３３３８７５号公報
【特許文献２】特開２００７−２６７９８３号公報
【非特許文献】
【０００４】
靴立て製品が提供されているが、家庭などでの靴内部の乾燥させるための製品やスペースをとらずに靴を保管するための製品である。
【考案の概要】
【考案が解決しようとする課題】
【０００５】
本来、通勤や外出用の靴と事務所内で利用する靴・サンダルなどを区別し履き替えることが衛生上および健康上好ましいことである。しかしながら、履き替えることは面倒であり、また靴の保管場所がないなどという問題がある。
【０００６】
多くは机の下で履き替えるのであるが、履き替えた靴は邪魔であり、また事務所内の美観も損なうものとなっている。
【０００７】
本件考案は、椅子に座り事務机に向かいながら、靴を履き替え、履き替えた靴を邪魔にならず美観も損なわずに保管することを解決すべき課題としたものである。
【課題を解決するための手段】
【０００８】
本件考案は、職場などにおいて、容易に靴を履き替えることと、履き替えた靴が事務作業などの邪魔にならぬように、靴一足分を立て掛けるための機構を有する本体部分と、事務机の内側側面に吸着させるためのマグネットにより構成されたことを特徴とする靴立て掛けハンガー装置である。
【０００９】
靴を立て掛ける本体部分については、靴のソールとアッパーとの間の溝の部分を引っ掛けることにより、靴底を事務机の内側側面に向けた状態で立て掛けることを可能にしたことを特徴とする靴立て掛けハンガー装置である。本件装置は、必ずしも堅牢なものとする必要性がなく、むしろ軽量・簡便な装置であることが求められている故、立て掛けた際の、靴の重量バランスから、上述の溝の部分を支持することにより立て掛けた靴の安定性を確保したことに特徴を有するものである。
【００１０】
本件考案の靴掛け用ハンガー装置は、マグネットの位置を、図２に例示される通り、床面と平行に取り付けることにより、吸着する事務机の側面から下方にずり落ちることを防止するとともに、前後への移動については容易にしたことを特徴とするものである。つまり、本件装置の利用者にとって、事務作業中に本件装置および靴が、ずり落ちることは不快であるし手間がかかるので、これを防止するものとし、また利用者は後述のひも或いはワイヤを使って、装置および靴を手前に引っ張ることが安定的にできるものとするものである。
【００１１】
本件考案の靴掛け用ハンガー装置は、図１の通り、立て掛けた靴は床面に対して３０度から４５度傾斜させて使用するため、靴のかかと部分から土踏まず部分の片側を支える機構を有することを特徴とするものである。
【００１２】
本件考案の靴掛け用ハンガー装置は、靴を立て掛ける本体部分に付属して、ひも或いはワイヤの片方を本体部分に繋げ、他方の端にマグネットのフックを付けることにより、靴ベラを掛けることができる機能を有するとともに、ひも或いはワイヤを引っ張るなどすることにより吸着位置を容易に移動させることができる機能を有するものとしたことを特徴とする。
【考案の効果】
【００１３】
本件考案の効果は、履き替えた靴を簡便に、事務机内側側面の仕事の邪魔にならない位置に立て掛けることができるということである。
【００１４】
つまり本件靴立て掛けハンガー装置の使用者は、着席したまま靴を脱ぎ、足先で事務所用の靴を取り床に置き、脱いだ靴を立て掛け、靴を履き替えることができるものであり、この動作は周囲の者にも殆ど気付かれることなく行うことができるという効果を有するものである。
【００１５】
また本件靴立て掛けハンガー装置を、事務机内側側面の中央やや奥の床面より２０センチ程度上部の位置に、マグネットにより吸着させるものとすることにより、履き替えた靴が邪魔になるという不便さを解消する効果を有するものである。また事務所内の掃除機などによる清掃作業においても、本件装置を使用することにより靴が邪魔にならないという利便性がある。
【００１６】
本件考案により、例えば朝７時に家を出てから夜８時に帰宅するまで、同じ靴を履き続けるという一般的な会社員などの不衛生かつ不健康な生活習慣を改善することに効果を有するものである。
【００１７】
本件装置は、マグネットにより事務机の内側側面に吸着させるものであるから、足で本体部分を押して机の奥の位置に移動させることができ、また付属のひも或いはワイヤを引っ張って本体部分を手前に移動させることが容易にできるという効果を有するものである。
【００１８】
本件装置に立て掛けられた靴は、靴底を机側面に向けて収納されるものであるから、ズボンなど衣服を汚すことがなく、また靴内部を乾燥させることにも効果を有するものである。
【図面の簡単な説明】
【００１９】
【図１】本考案による靴立て掛けハンガー装置の使用中の概略図である。
【図２】本考案による靴立て掛けハンガー装置を例示する概略平面図である。
【符号の説明】
【００２０】
１．本体部分の基礎プレート
２．マグネット
３．靴のかかとを支持するハンガー部
４．靴の土踏まずを支持するハンガー部
【図１】
0003154765.tif 000003
【図２】
0003154765.tif 000004